【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
１つ又はそれ以上の材料を鍛接するための鍛接装置の動作パラメータを制御するためのシステムであって、
１つ又はそれ以上の入力装置と、１つ又はそれ以上のコンピュータ用記憶装置と、コンピュータプログラムの実行のためのプロセッサとを有するコンピュータシステムを備え、
前記コンピュータプログラムは、入力された加熱により影響を受ける部分である熱影響部の幅と、入力された鍛接温度とに応じて鍛接装置のための動作周波数及び動作電力設定を出力するための一連の鍛接自己調整工程を実行する、鍛接装置の動作パラメータ制御システム。
【請求項２】
１つ又はそれ以上の前記コンピュータ用記憶装置が、鍛接装置データと、１つ又はそれ以上の材料のパラメータのためのデータとを保存する請求項１に記載の鍛接装置の動作パラメータ制御システム。
【請求項３】
前記鍛接装置データが、前記１つ又はそれ以上の材料の鍛接のための鍛接速度及び鍛接加熱長さを含み、前記１つ又はそれ以上の材料のパラメータのための前記データが、該１つ又はそれ以上の材料の厚さ、密度及びエンタルピーとを含む請求項２に記載の鍛接装置の動作パラメータ制御システム。
【請求項４】
前記鍛接装置のための動作周波数及び動作電力設定を出力するための前記一連の鍛接自己調整工程が、更に、鍛接中の熱影響部の測定幅のための入力データと、鍛接中の測定鍛接温度の入力データとに応じる請求項１から３のいずれか１つに記載の鍛接装置の動作パラメータ制御システム。
【請求項５】
１つ又はそれ以上の材料の鍛接において鍛接装置の動作周波数及び動作電力設定を算出するための方法であって、
コンピュータシステムに熱影響部の幅及び鍛接温度を入力するステップと、
前記コンピュータシステムにより、鍛接装置のための動作周波数及び動作電力設定を算出するステップとを含む方法。
【請求項６】
鍛接装置データを参照するステップと、
前記１つ又はそれ以上の材料のパラメータを参照するステップとを更に含む請求項５に記載の方法。
【請求項７】
鍛接速度データと、鍛接加熱長さデータと、前記１つ又はそれ以上の材料の厚さデータと、前記１つ又はそれ以上の材料の密度データと、前記１つ又はそれ以上の材料のエンタルピーデータとを参照するステップを含む請求項５または６に記載の方法。
【請求項８】
鍛接における熱影響部の幅を測定すると共に鍛接時の鍛接温度を測定するステップと、
入力された熱影響部幅及び入力された鍛接温度と比較しての測定された熱影響部幅及び測定された鍛接温度に応じて、算出された動作周波数又は動作電力設定を調整するステップとを含む請求項５から７のいずれか１つに記載の方法。
【請求項９】
鍛接をする鍛接装置の動作周波数を算出するための方法であって、
（ａ）鍛接される１つ又はそれ以上の材料の材料パラメータを入力するステップと、
（ｂ）鍛接装置のパラメータを入力するステップと、
（ｃ）好ましい熱影響部幅を入力するステップと、
（ｄ）試行熱的基準深さを算出するステップと、
（ｅ）試行動作周波数を入力するステップと、
（ｆ）試行電気的基準深さを算出するステップと、
（ｇ）試行正規化電気的基準深さを算出するステップと、
（ｈ）助変数方程式を使って試行正規化熱影響部幅を算出するステップと、
（ｉ）前記試行正規化熱影響部幅を計算された熱影響部幅に変換するステップと、
（ｊ）前記計算された熱影響部幅と前記好ましい熱影響部幅とを比較して、計算された熱影響部幅が、許容される誤差範囲内で好ましい熱影響部幅と等しい場合は、鍛接装置の動作周波数を前記試行動作周波数に設定し、そうでない場合は、前記試行動作周波数を変更してステップ（ｅ）から（ｊ）までを実行するステップとを含む鍛接装置の動作周波数算出方法。
【請求項１０】
前記１つ又はそれ以上の材料の材料パラメータが、該１つ又はそれ以上の材料の熱拡散率と、電気抵抗率と、比透磁率とを含み、
前記鍛接装置のパラメータが、鍛接のための鍛接加熱長さ及び鍛接速度を含む請求項９に記載の鍛接装置の動作周波数算出方法。
【請求項１１】
前記助変数方程式が、前記正規化電気的基準深さの関数としての前記正規化熱影響部幅の形式の多項式を含む請求項９または１０に記載の鍛接装置の動作周波数算出方法。
【請求項１２】
請求項９から１１のいずれか１つに記載の鍛接装置の動作周波数算出方法であって、
（ｋ）試行実効電力を算出するステップと、
（ｌ）前記動作周波数と前記試行実効電力とで鍛接装置の試験運転をするステップと、
（ｍ）前記試験運転中に試行熱影響部幅を測定するステップと、
（ｎ）前記試行熱影響部幅を入力するステップと、
（ｏ）前記試行熱影響部幅と前記好ましい熱影響部幅とを比較して、試行熱影響部幅が許容誤差の範囲内で好ましい熱影響部幅と等しい場合は、鍛接装置の動作電力を前記試行実効電力に設定し、そうでない場合は、修正した助変数方程式を生成し、ステップ（ｈ）からステップ（ｏ）までを繰り返して実行するステップと、
（ｐ）前記動作周波数と前記動作電力とで鍛接装置の鍛接温度試験運転をするステップと、
（ｑ）好ましい鍛接温度を入力するステップと、
（ｒ）前記鍛接温度試験運転の間に試験運転鍛接温度を測定し、試験運転鍛接温度が、前記好ましい試験運転温度と許容誤差の範囲内で等しい場合は、前記動作周波数と動作電力で鍛接装置の本番運転を行い、そうでない場合は、前記１つ又はそれ以上の材料のエンタルピーを変更してステップ（ｋ）から（ｒ）までを繰り返して実行するステップとを含む方法。
【請求項１３】
前記材料パラメータが、前記１つ又はそれ以上の材料の熱拡散率と、電気抵抗率と、比透磁率と、厚さと、エンタルピーとを含み、
前記鍛接装置パラメータが、鍛接のための鍛接加熱長さ及び鍛接速度を含む請求項１２に記載の鍛接装置の動作周波数算出方法。
【請求項１４】
前記助変数方程式が、前記正規化電気的基準深さの関数としての前記正規化熱影響部幅の形式の多項式を含む請求項１２または１３に記載の鍛接装置の動作周波数算出方法。
【請求項１５】
修正された前記助変数方程式が、試行正規化電気的基準深さと、試行正規化熱影響部幅とによって定義された点を、近似曲線モデルから前記助変数方程式を生成するために使用される実験点のセットに追加することによって生成される請求項１２から１４のいずれか１つに記載の鍛接装置の動作周波数算出方法。
【請求項１６】
鍛接をする鍛接装置の動作周波数を算出するための方法であって、
（ａ）鍛接される１つ又はそれ以上の材料の材料パラメータを入力するステップと、
（ｂ）鍛接装置のパラメータを入力するステップと、
（ｃ）好ましい熱影響部幅を入力するステップと、
（ｄ）試行熱的基準深さを算出するステップと、
（ｅ）試行動作周波数を入力するステップと、
（ｆ）試行電気的基準深さを算出するステップと、
（ｇ）試行正規化電気的基準深さを算出するステップと、
（ｈ）助変数方程式を使って試行正規化熱影響部幅を算出するステップと、
（ｉ）前記試行正規化熱影響部幅を計算された熱影響部幅に変換するステップと、
（ｊ）前記計算された熱影響部幅と前記好ましい熱影響部幅とを比較して、計算された熱影響部幅が、許容される誤差範囲内で好ましい熱影響部幅と等しい場合は、鍛接装置の動作周波数を前記試行動作周波数に設定し、そうでない場合は、前記試行動作周波数を変更してステップ（ｅ）から（ｊ）までを実行するステップと、
（ｋ）試行実効電力を算出するステップと、
（ｌ）前記動作周波数と前記試行実効電力とで鍛接装置の試験運転をするステップと、
（ｍ）前記試験運転中に試行熱影響部幅を測定するステップと、
（ｎ）前記試行熱影響部幅を入力するステップと、
（ｏ）前記試行熱影響部幅と前記好ましい熱影響部幅とを比較して、試行熱影響部幅が許容誤差の範囲内で好ましい熱影響部幅と等しい場合は、鍛接装置の動作電力を前記試行実効電力に設定し、そうでない場合は、修正した助変数方程式を生成し、ステップ（ｈ）からステップ（ｏ）までを繰り返して実行するステップと、
（ｐ）前記動作周波数と前記動作電力とで鍛接装置の鍛接温度試験運転をするステップと、
（ｑ）好ましい鍛接温度を入力するステップと、
（ｒ）前記鍛接温度試験運転の間に試験運転鍛接温度を測定し、試験運転鍛接温度が、前記好ましい試験運転温度と許容誤差の範囲内で等しい場合は、前記動作周波数と動作電力で鍛接装置の本番運転を行い、そうでない場合は、前記１つ又はそれ以上の材料のエンタルピーを変更してステップ（ｋ）から（ｒ）までを繰り返して実行するステップとを含む鍛接装置の動作周波数算出方法。
【請求項１７】
前記材料パラメータが、前記１つ又はそれ以上の材料の熱拡散率と、電気抵抗率と、比透磁率と、厚さと、エンタルピーとを含み、
前記鍛接装置パラメータが、鍛接のための鍛接加熱長さ及び鍛接速度を含む請求項１６に記載の鍛接装置の動作周波数算出方法。
【請求項１８】
前記助変数方程式が、前記正規化電気的基準深さの関数としての前記正規化熱影響部幅の形式の多項式を含む請求項１６または１７に記載の鍛接装置の動作周波数算出方法。
【請求項１９】
修正された前記助変数方程式が、試行正規化電気的基準深さと、試行正規化熱影響部幅とによって定義された点を、近似曲線モデルから前記助変数方程式を生成するために使用される実験点のセットに追加することによって生成される請求項１６から１８までのいずれか１つに記載の鍛接装置の動作周波数算出方法。